【手続補正書】
【提出日】平成27年8月11日(2015.8.11)
【手続補正１】
【補正対象書類名】明細書
【補正対象項目名】００４５
【補正方法】変更
【補正の内容】
【００４５】
Ａ１４．前記真空チャンバが、さらに、液体の二酸化炭素が気相に転移するのに十分な温度まで前記真空チャンバを加熱するためのヒータを含んでいる、実施形態Ａ１２に記載の装置。
また、本発明は以下に記載する態様を含む。
（態様１）
二酸化炭素の収集方法（１００、２００、３００、４００）であって、
コンデンサ（１０２、２０２）とデシカント材（４０４）とを用いて大気中の水分を除去し、乾燥空気を生成すること、
乾燥空気中の二酸化炭素を材料中に吸収させること（１０４）、
吸収された二酸化炭素を真空チャンバに解放すること（１０６）、及び
真空チャンバ内において、解放された二酸化炭素を気相から固相に転移させること（１０８）
を含む方法。
（態様２）
前記大気中の水分を除去することが、大気の流れを、コンデンサ（２０２）とデシカント材を収容するデシカントチャンバ（２０４）とに通すことにより、大気中の水分を除去して乾燥空気を生成することである、態様１に記載の方法。
（態様３）
前記二酸化炭素を吸収させることが、乾燥空気を、チャンバ（３０６）内の分子ふるい材料を通るように方向付けることである、態様１に記載の方法。
（態様４）
前記吸収された二酸化炭素を解放することが、チャンバを実質的にシールして、吸収された二酸化炭素を分子ふるい材料が真空チャンバ（２０８）に解放するために十分な真空をチャンバ内に形成することである、態様３に記載の方法。
（態様５）
前記解放された二酸化炭素を転移させることが、真空チャンバ（４０８、２０８）内部の表面（４２４）を、真空チャンバ（１０６、４０８）内において解放された二酸化炭素が表面上で凝結するのに十分な低温となるまで冷却することである、態様１に記載の方法。
（態様６）
真空チャンバ（４０８）を実質的にシールすることにより、真空チャンバ内の二酸化炭素を固相から気相に転移させること、表面の冷却を終了すること、及び真空チャンバの内部を加熱することをさらに含む、態様５に記載の方法。
（態様７）
前記解放された二酸化炭素を転移させることが、冷却剤を用いて真空チャンバ内の表面を冷却することである、態様５に記載の方法。
（態様８）
コンデンサを通るように真空チャンバからの冷却剤を方向付けることをさらに含む、態様７に記載の方法。
（態様９）
コンデンサとデシカント材とを用いて大気中から除去された水分を収集することをさらに含む、態様１に記載の方法。
（態様１０）
二酸化炭素収集装置（４００）であって、
前記装置に流入する大気の流れを生成するように構成された複数の空気移動装置（４１６）と、
大気の流れに含まれる水分を除去するためのコンデンサ（２０２）と、
前記コンデンサからの空気の流れに含まれる二酸化炭素を抽出するように構成された第１の収集アセンブリ（３１０）と、
前記コンデンサ（２０２）からの空気の流れに含まれる二酸化炭素を抽出するように構成された第２の収集アセンブリ（３１２）と、
前記コンデンサ（２０２、４０２）からの空気の流れを、前記第１の収集アセンブリ（３１０）及び前記第２の収集アセンブリに交互に方向付けるように構成されたコントローラ（３１４）と
を備えている装置。
（態様１１）
前記第１の収集アセンブリ及び前記第２の収集アセンブリ（３１２）の各々が、
コンデンサ（４０２、２０２）からの空気の流れからさらに水分を除去してほぼ乾燥した空気を生成するための除湿チャンバ（４０４）と、
内部に収容する材料に、乾燥空気に含まれる二酸化炭素を吸収させる接触器チャンバ（３０６）と
を含んでいる、態様１０に記載の装置。
（態様１２）
前記第１の収集アセンブリ（３１０）と前記第２の収集アセンブリ（３１２）とに連結された真空チャンバ（２０２、４０８）であって、
吸収された二酸化炭素を、前記第１の収集アセンブリ及び前記第２の収集アセンブリの接触器チャンバから抜き取り、
抜き取った二酸化炭素を気相から固相に転移させる
ように構成された真空チャンバ（２０２、４０８）をさらに備えている、態様１１に記載の装置。
（態様１３）
前記コントローラが、前記第１の収集アセンブリ（３１０）及び前記第２の収集アセンブリ（３１２）のうちの一方を収集フェーズにおいて動作させ、その間に前記第１の収集アセンブリ（３１０）及び前記第２の収集アセンブリ（３１２）のうちの他方を再生フェーズにおいて動作せるように構成されている、態様１０に記載の装置。
（態様１４）
前記コントローラ（３１４）が、収集フェーズにある前記第１の収集アセンブリ又は前記第２の収集アセンブリ内の接触器チャンバを、再生フェーズにある前記第１の収集アセンブリ（３１０）又は前記第２の収集アセンブリ（３１２）内の接触器チャンバに連結することにより、両接触器チャンバ（３０６）内の圧力が実質的に均一化される、態様１３に記載の装置。
（態様１５）
さらに水分チャンバ（４３０）を備えており、前記コントローラが、前記除湿チャンバ（４０４）及び前記コンデンサを用いて空気中の水分を前記水分チャンバに抽出するように構成されている、態様１０に記載の装置。
【手続補正２】
【補正対象書類名】特許請求の範囲
【補正対象項目名】全文
【補正方法】変更
【補正の内容】
【特許請求の範囲】
【請求項１】
二酸化炭素の収集方法（１００、２００、３００、４００）であって、
コンデンサ（１０２、２０２）とデシカント材（４０４）とを用いて大気中の水分を除去し、乾燥空気を生成すること、
乾燥空気中の二酸化炭素を材料中に吸着させること（１０４）、
吸着された二酸化炭素を真空チャンバに解放すること（１０６）、及び
真空チャンバ内において、解放された二酸化炭素を気相から固相に転移させること（１０８）
を含む方法。
【請求項２】
前記大気中の水分を除去することが、大気の流れを、コンデンサ（２０２）とデシカント材を収容するデシカントチャンバ（２０４）とに通すことにより、大気中の水分を除去して乾燥空気を生成することを含む、請求項１に記載の方法。
【請求項３】
前記二酸化炭素を吸着させることが、乾燥空気を、チャンバ（３０６）内の分子ふるい材料を通るように方向付けることを含む、請求項１に記載の方法。
【請求項４】
前記吸着された二酸化炭素を解放することが、チャンバを実質的にシールして、吸着された二酸化炭素を分子ふるい材料が真空チャンバ（２０８）に解放するために十分な真空をチャンバ内に形成することを含む、請求項３に記載の方法。
【請求項５】
前記解放された二酸化炭素を転移させることが、真空チャンバ（４０８、２０８）内部の表面（４２４）を、真空チャンバ（１０６、４０８）内において解放された二酸化炭素が表面上で凝結するのに十分な低温となるまで冷却することを含む、請求項１に記載の方法。
【請求項６】
収集のために真空チャンバ（４０８）を実質的にシールすることにより、真空チャンバ内の二酸化炭素を固相から気相に転移させること、表面の冷却を終了すること、及び真空チャンバの内部を加熱することをさらに含む、請求項５に記載の方法。
【請求項７】
前記解放された二酸化炭素を転移させることが、冷却剤を用いて真空チャンバ内の表面を冷却することを含む、請求項５に記載の方法。
【請求項８】
コンデンサを通るように真空チャンバからの冷却剤を方向付けることをさらに含む、請求項７に記載の方法。
【請求項９】
コンデンサとデシカント材とを用いて大気中から除去された水分を収集することをさらに含む、請求項１に記載の方法。
【請求項１０】
二酸化炭素収集装置（４００）であって、
前記装置に流入する大気の流れを生成するように構成された複数の空気移動装置（４１６）と、
大気の流れから水分を除去するためのコンデンサ（２０２）と、
大気の流れからさらに水分を除去してほぼ乾燥した空気を生成するためのデシカントと、
ほぼ乾燥した空気から内部の材料に二酸化炭素を吸着するための接触器チャンバ（３０６）と、
前記接触器チャンバ（３０６）から吸着された二酸化炭素を抜き取り、この抜き取った二酸化炭素を気相から固相に転移させる真空チャンバ（２０８）と
を備える装置。
【請求項１１】
前記接触器チャンバ（３０６）内の材料が分子ふるい材料を含む、請求項１０に記載の装置。
【請求項１２】
前記真空チャンバがコールドフィンガ（４２４）を含み、このコールドフィンガが、抜き取った二酸化炭素を気相から固相に転移させるのに十分に低い温度まで冷却され、固相の二酸化炭素がコールドフィンガ上で収集される、請求項１０に記載の装置。
【請求項１３】
コールドフィンガは、コールドフィンガ（４２４）に冷却剤を流すことにより冷却され、冷却剤は、コールドフィンガ（４２４）を通過した後前記コンデンサ（２０２）に送られる、請求項１２に記載の装置。
【請求項１４】
前記真空チャンバが、さらに、固相の二酸化炭素が気相に転移するのに十分な温度まで前記真空チャンバを加熱するためのヒータを含んでいる、請求項１２に記載の装置。